(57)【要約】【課題】水栓用カバーの水栓本体に対する取付構造の合理化を図ること。【解決手段】混合水栓１に着脱可能に取り付けられる水栓用カバー１０であって、水栓本体２を上方から覆う天板被覆部１１と、水栓本体２を水栓正面側から覆う正面被覆部１２と、天板被覆部１１の底面上に設けられ、水栓本体２の背面から延びる給湯管３と給水管４とにそれぞれ上方から上下左右に挟み込む形にスナップフィット嵌合される左右一対の弾性嵌合部１３と、天板被覆部１１の底面上に設けられ、水栓本体２の背面上に上方から差し込まれて正面被覆部１２との間に水栓本体２を挟み込む前後方向の弾発力を作用させる弾発部１４と、を一体的に有する樹脂成形品から成る。【選択図】図３
2020147948.tif 000002
【特許請求の範囲】
【請求項１】
混合水栓に着脱可能に取り付けられる水栓用カバーであって、
前記混合水栓の水栓本体を上方から覆う天板被覆部と、
前記水栓本体を水栓正面側から覆う正面被覆部と、
前記天板被覆部の底面上に設けられ、前記水栓本体の背面から延びる左右一対の供給管にそれぞれ上方から上下左右に挟み込む形にスナップフィット嵌合される左右一対の弾性嵌合部と、
前記天板被覆部の底面上に設けられ、前記水栓本体の背面上に上方から差し込まれて前記正面被覆部との間に前記水栓本体を挟み込む前後方向の弾発力を作用させる弾発部と、を一体的に有する樹脂成形品から成る水栓用カバー。
【請求項２】
請求項１に記載の水栓用カバーであって、
当該水栓用カバーが、更に、前記天板被覆部の底面上に設けられ、前記左右一対の供給管の間で前記水栓本体の背面から延びる吐出管に上方から当てられる当て部を一体的に有する樹脂成形品から成る水栓用カバー。
【請求項３】
請求項１又は請求項２に記載の水栓用カバーであって、
当該水栓用カバーが、更に、前記正面被覆部の背面上に設けられ、前記水栓本体に形成された凹部内に水栓正面側から入り込む爪部を一体的に有する樹脂成形品から成る水栓用カバー。
【請求項４】
請求項１から請求項３のいずれかに記載の水栓用カバーであって、
当該水栓用カバーが、更に、前記正面被覆部の背面に形成され、前記水栓本体の一般面に対する水栓正面側からの当たり部となる突出形状のリブを一体的に有する樹脂成形品から成る水栓用カバー。
【請求項５】
混合水栓に着脱可能に取り付けられる水栓用カバーであって、
前記混合水栓の水栓本体を上方から覆う天板被覆部と、
前記水栓本体を水栓正面側から覆う正面被覆部と、
前記天板被覆部の底面と前記水栓本体の天板面との間に設けられた面状の着脱手段となる面ファスナと、を有する水栓用カバー。
【請求項６】
請求項５に記載の水栓用カバーであって、
当該水栓用カバーが、更に、前記正面被覆部の背面上に設けられ、前記水栓本体に形成された凹部内に水栓正面側から入り込む爪部を有する水栓用カバー。
【発明の詳細な説明】
【技術分野】
【０００１】
本発明は、水栓用カバーに関する。詳しくは、混合水栓に着脱可能に取り付けられる水栓用カバーに関する。
【背景技術】
【０００２】
従来、湯水混合水栓において、水栓本体の上部に樹脂製の断熱カバーが取り付けられた構成が知られている（特許文献１）。上記断熱カバーは、水栓本体の給湯口と給水口とを壁側の給湯口と給水口とにそれぞれ接続する一対の継手管、及び水栓本体にそれぞれ上側からスナップフィット嵌合される複数の取付足を有する。上記断熱カバーは、上記各取付足の嵌合構造により、水栓本体に対して着脱可能かつガタ止めされた状態に取り付けられるようになっている。
【先行技術文献】
【特許文献】
【０００３】
【特許文献１】特許第２８４１２８０号
【発明の概要】
【発明が解決しようとする課題】
【０００４】
上記従来技術では、断熱カバーに設けられる各取付足が、金属製のバネ板から成り、ビスにより断熱カバーに取り付けられた構成とされている。そのため、断熱カバーが、構成部品が多く、かつ、水栓本体への着脱により水栓本体を傷付けやすい構成となっている。本発明は、上記問題を解決するものとして創案されたものであって、本発明が解決しようとする課題は、水栓用カバーの水栓本体に対する取付構造の合理化を図ることにある。
【課題を解決するための手段】
【０００５】
上記課題を解決するために、本発明の水栓用カバーは次の手段をとる。
【０００６】
すなわち、本発明の水栓用カバーは、混合水栓に着脱可能に取り付けられる水栓用カバーである。この水栓用カバーは、混合水栓の水栓本体を上方から覆う天板被覆部と、水栓本体を水栓正面側から覆う正面被覆部と、天板被覆部の底面上に設けられ、水栓本体の背面から延びる左右一対の供給管にそれぞれ上方から上下左右に挟み込む形にスナップフィット嵌合される左右一対の弾性嵌合部と、天板被覆部の底面上に設けられ、水栓本体の背面上に上方から差し込まれて正面被覆部との間に水栓本体を挟み込む前後方向の弾発力を作用させる弾発部と、を一体的に有する樹脂成形品から成る。
【０００７】
上記構成によれば、水栓用カバーに一体成形した左右一対の弾性嵌合部と弾発部とによって、水栓用カバーを水栓本体に簡便かつガタ付かせにくい形に取り付けることができる。このような取付構造を、天板被覆部と正面被覆部とを有するカバー形状とされる水栓用カバーに左右一対の弾性嵌合部と弾発部とを一体成形した樹脂成形品によって合理的に得ることができる。
【０００８】
また、本発明の水栓用カバーは、更に次のように構成されていてもよい。水栓用カバーが、更に、天板被覆部の底面上に設けられ、左右一対の供給管の間で水栓本体の背面から延びる吐出管に上方から当てられる当て部を一体的に有する樹脂成形品から成る。
【０００９】
上記構成によれば、水栓用カバーを水栓本体に対してより前後に傾動させにくい形に取り付けることができる。
【００１０】
また、本発明の水栓用カバーは、更に次のように構成されていてもよい。水栓用カバーが、更に、正面被覆部の背面上に設けられ、水栓本体に形成された凹部内に水栓正面側から入り込む爪部を一体的に有する樹脂成形品から成る。
【００１１】
上記構成によれば、水栓用カバーを水栓本体に対してより前後に傾動させにくく、かつ、水栓正面側から上方向きの荷重を受けても外されにくい形に取り付けることができる。
【００１２】
また、本発明の水栓用カバーは、更に次のように構成されていてもよい。水栓用カバーが、更に、正面被覆部の背面に形成され、水栓本体の一般面に対する水栓正面側からの当たり部となる突出形状のリブを一体的に有する樹脂成形品から成る。
【００１３】
上記構成によれば、正面被覆部を水栓本体から水栓正面側に浮かした位置に設けることができると共に、正面被覆部の構造強度を適切に高めることができる。
【００１４】
また、本発明の水栓用カバーは、更に次のように構成されていてもよい。すなわち、混合水栓に着脱可能に取り付けられる水栓用カバーであって、混合水栓の水栓本体を上方から覆う天板被覆部と、水栓本体を水栓正面側から覆う正面被覆部と、天板被覆部の底面と水栓本体の天板面との間に設けられた面状の着脱手段となる面ファスナと、を有する。
【００１５】
上記構成によれば、水栓用カバーと水栓本体との間に設けられる面ファスナによって、水栓用カバーを水栓本体に簡便かつガタ付かせにくい形に取り付けることができる。このような取付構造を、天板被覆部と正面被覆部とを有するカバー形状とされる水栓用カバーと水栓本体との間に面ファスナを設けるだけの簡単な構成によって合理的に得ることができる。
【００１６】
また、本発明の水栓用カバーは、更に次のように構成されていてもよい。水栓用カバーが、更に、正面被覆部の背面上に設けられ、水栓本体に形成された凹部内に水栓正面側から入り込む爪部を有する。
【００１７】
上記構成によれば、水栓用カバーを水栓本体に対してより前後に傾動させにくく、かつ、水栓正面側から上方向きの荷重を受けても外されにくい形に取り付けることができる。
【図面の簡単な説明】
【００１８】
【図１】第１の実施形態に係る水栓用カバーの概略構成を表した斜視図である。
【図２】水栓用カバーを水栓本体から外した分解斜視図である。
【図３】図２を水栓背面下側から見た分解斜視図である。
【図４】水栓用カバーを水栓本体にセットした状態を表した平面図である。
【図５】同正面図である。
【図６】同側面図である。
【図７】水栓用カバーを裏側から見た斜視図である。
【図８】図６のＶＩＩＩ−ＶＩＩＩ線断面図である。
【図９】図４のＩＸ−ＩＸ線断面図である。
【図１０】図５のＸ−Ｘ線断面図である。
【図１１】第２の実施形態に係る水栓用カバーの概略構成を表した分解斜視図である。
【図１２】水栓用カバーを水栓本体にセットした状態を表した平面図である。
【図１３】図１２のＸＩＩＩ−ＸＩＩＩ線断面図である。
【発明を実施するための形態】
【００１９】
以下に、本発明を実施するための形態について、図面を用いて説明する。
【００２０】
《第１の実施形態》
始めに、本発明の第１の実施形態に係る水栓用カバー１０の構成について、図１〜図１０を用いて説明する。なお、以下の説明において、前後上下左右等の各方向を示す場合には、各図中に示されたそれぞれの方向を指すものとする。
【００２１】
図１に示すように、本実施形態に係る水栓用カバー１０は、浴室の壁面Ｗに取り付けられる壁付きタイプの混合水栓１に取り付けられて使用される。上記混合水栓１は、上記壁面Ｗの裏側から供給される湯と水とを内部で混合して吐出することのできる機能を備える。具体的には、混合水栓１は、上記供給される湯水の混合割合を内部で調節する温調機能と、混合した湯水の吐水・止水を切り替える切替機能と、吐出する湯水の吐出量を調節する吐出量の調節機能と、を備える。
【００２２】
上記温調機能は、水栓本体２の向かって左側の側部に取り付けられた略円筒型の温調ハンドル２Ａにより操作されるようになっている。また、吐止水の切替機能と吐出量の調節機能は、水栓本体２の向かって右側の側部に取り付けられた略円筒型の切替ハンドル２Ｂにより操作されるようになっている。具体的には、使用者が温調ハンドル２Ａを所望の回転位置に合わせることにより、水栓本体２の内部で混合される湯水の混合割合が切替ハンドル２Ｂの回転位置に応じた設定温度となるように調節されるようになっている。
【００２３】
また、使用者が切替ハンドル２Ｂを所定の止水位置（図示位置）から上向き又は下向きに回すことにより、その回転移動量に応じた量の湯水を水栓本体２の底面から延びるカラン吐出管５又は水栓本体２の背面から延びるシャワー吐出管７から選択的に吐出できるようになっている。本実施形態では、切替ハンドル２Ｂを上記所定の止水位置から下向きに回すことにより、上記カラン吐出管５から湯水が吐出されるようになっている。また、切替ハンドル２Ｂを上記所定の止水位置から上向きに回すことにより、上記シャワー吐出管７から湯水が吐出されるようになっている。
【００２４】
上記カラン吐出管５には、カラン６が取り付けられている。また、シャワー吐出管７には、Ｌ字形のシャワーエルボ８が取り付けられている。同シャワーエルボ８には、図示は省略されているが、シャワーホースを介してシャワーヘッドが取り付けられている。温調ハンドル２Ａ及び切替ハンドル２Ｂは、それぞれ、水栓本体２に対して、左右方向（幅方向）に延びる軸回りに回転操作が可能な状態に取り付けられている。
【００２５】
本実施形態に係る水栓用カバー１０は、上記混合水栓１に対して、水栓本体２を上方及び水栓正面側からそれぞれ覆う形に取り付けられる構成とされる。具体的には、上記水栓用カバー１０は、水平面状の天板面を成す天板被覆部１１と、同天板被覆部１１の前側の縁部から垂下面状に延びる正面被覆部１２と、を一体的に有するカバー形状とされる。
【００２６】
上記水栓用カバー１０は、これを使用者が把持して水栓本体２に上方から嵌め込んだり（図１参照）水栓本体２から上方へ引き抜いたり（図２〜図３参照）する各操作によって、水栓本体２に対する着脱を簡便に行える構成とされる。上記水栓用カバー１０は、上記水栓本体２の上部に取り付けられることにより、上記天板被覆部１１によって水栓本体２を上方から覆うと共に、正面被覆部１２によって水栓本体２を水栓正面側（前側）から覆った状態にセットされる（図４〜図６参照）。
【００２７】
それにより、水栓用カバー１０は、天板被覆部１１と正面被覆部１２とによって水栓本体２を見栄え良く被覆すると共に、天板被覆部１１の上面を小物置きとして利用できる状態となる。図１〜図２に示すように、上記天板被覆部１１の左右と後側の各縁部には、これらの縁部をひと繋ぎの縁高形状とする縁１１Ａが形成されている。上記水栓用カバー１０は、上記水栓本体２の上部に取り付けられることにより、水栓本体２に対して前後左右にガタ付いたり傾動したりしない形にスナップフィット嵌合されて保持されるようになっている。
【００２８】
図２〜図３に示すように、水栓本体２は、横長な略円筒形状に形成されている。詳しくは、上記水栓本体２は、その天板面と底面と背面（後面）とがそれぞれ平坦な面形状とされ、その正面（前面）が凸湾曲面状に膨らんだ曲面形状とされる断面略Ｄ字状の円筒形状に形成されている。図３に示すように、上記水栓本体２の背面には、不図示の給湯源から湯の供給を受ける給湯管３と、不図示の給水源から水の供給を受ける給水管４と、がそれぞれ後側に短く真っ直ぐ延び出した形に形成されている。ここで、上記給湯管３及び給水管４が、それぞれ、本発明の「供給管」に相当する。
【００２９】
上記給湯管３の接続口には、クランク状に折れ曲がった偏心形状を持つ湯側継手管９Ａの図示上側の接続口が流路接続されている。具体的には、給湯管３に取り付けられた袋ナット３Ａに湯側継手管９Ａの上側の接続口が螺着されることにより、給湯管３に湯側継手管９Ａが流路接続されている。上記湯側継手管９Ａは、そのクランク状に折れ曲がった図示下側の接続口が、図１で前述した壁面Ｗの対応する位置に形成された不図示の湯側接続口に螺着されて、不図示の給湯源から延びる給湯管３と流路接続されている。
【００３０】
また、図３に示すように、給水管４の接続口には、上記湯側継手管９Ａと同様にクランク状に折れ曲がった偏心形状を持つ水側継手管９Ｂの図示上側の接続口が流路接続されている。具体的には、給水管４に取り付けられた袋ナット４Ａに水側継手管９Ｂの上側の接続口が螺着されることにより、給水管４に水側継手管９Ｂが流路接続されている。上記水側継手管９Ｂは、そのクランク状に折れ曲がった図示下側の接続口が、図１で前述した壁面Ｗの対応する位置に形成された不図示の水側接続口に螺着されて、不図示の給水源から延びる給水管４と流路接続されている。
【００３１】
図３に示すように、上記給湯管３と給水管４とは、互いに水栓本体２の背面における左右対称な位置に並んで形成されている。また、上記水栓本体２の背面には、その給湯管３と給水管４との間の中央位置から後側に短く真っ直ぐ延び出すシャワー吐出管７が形成されている。同シャワー吐出管７には、前出のＬ字形のシャワーエルボ８が取り付けられている。同シャワーエルボ８は、そのＬ字が下向きに折れ曲がる形に取り付けられている。ここで、シャワー吐出管７が、本発明の「吐出管」に相当する。
【００３２】
以上が、水栓本体２及び水栓本体２を図１で前述した壁面Ｗに取り付ける構造となっている。次に、上記水栓本体２に上方から取り付けられる水栓用カバー１０の構成について説明する。水栓用カバー１０は、インジェクション成形により一体成形された樹脂成形品から成る。上記水栓用カバー１０は、前出の天板被覆部１１及び正面被覆部１２に加え、図２〜図３に示すように、同水栓用カバー１０を水栓本体２に取り付けるための取付構造となる左右一対の弾性嵌合部１３と、左右一対の弾発部１４と、当て部１５と、リブ１２Ａと、爪部１２Ｂと、を更に有する構成とされる。
【００３３】
左右一対の弾性嵌合部１３は、図３及び図７〜図８に示すように、それぞれ、天板被覆部１１の底面上から下方に向かって略Ω字状に延び出る形に形成されている。これら弾性嵌合部１３は、それぞれ、水栓本体２の背面から延びる給湯管３及び給水管４に上方から嵌め込まれてスナップフィット嵌合される構成とされる。具体的には、各弾性嵌合部１３は、それらの下向きに開く開口が給湯管３と給水管４とにそれぞれ上方から押し込まれることにより、それらのΩ形状内に給湯管３と給水管４とをそれぞれ受け入れる形に開いた後、元の形に復元変形する。
【００３４】
それにより、各弾性嵌合部１３は、図８に示すように、それらのΩ形状内に給湯管３と給水管４とをそれぞれ上下左右に弾性的に挟み込んだ状態となる。上記組み付けにより、水栓用カバー１０が、水栓本体２に対して左右にガタ付いたり傾動したりしない形にスナップフィット嵌合された状態として保持される。
【００３５】
当て部１５は、図３及び図７に示すように、上記天板被覆部１１の底面上の左右方向の略中央位置に、下側へ向かって凹湾曲面形状に突出する形となって形成されている。詳しくは、上記当て部１５は、上記左右一対の弾性嵌合部１３の配置間領域の略中央位置の後側の位置に、下側に向かって前後方向に長尺な半パイプ形状に突出する形となって形成されている。
【００３６】
上記当て部１５は、図８で前述した各弾性嵌合部１３が給湯管３と給水管４とにそれぞれ上方から差し込まれてスナップフィット嵌合されるセットにより、その凹湾曲面が水栓本体２の背面中央から延びるシャワー吐出管７に上方から当てられた状態にセットされる。それにより、水栓用カバー１０が、水栓本体２に対して後側に傾動しにくい形に下支えされた状態として取り付けられる。
【００３７】
左右一対の弾発部１４は、図３及び図７に示すように、それぞれ、天板被覆部１１の底面上から下方に向かって垂下板状に延び出る形に形成されている。詳しくは、各弾発部１４は、上記左右一対の弾性嵌合部１３の配置間領域において、これらと左右方向に一直線上に並ぶ左右対称位置に形成されている。これら弾発部１４は、それぞれ、周囲に略逆Ｕ字状の切り込みが入れられて片持ち状に撓める構成とされた弾発爪１４Ａを有する。これら弾発爪１４Ａは、それぞれ、前方に向かって略台形状に突出した形状とされる。
【００３８】
上記各弾発部１４は、それぞれ、図８で前述した各弾性嵌合部１３を給湯管３と給水管４とにそれぞれ上方から差し込んでスナップフィットさせる操作により、図９に示すように、それらの弾発爪１４Ａが水栓本体２の背面に弾性的に押し付けられた形にセットされる。詳しくは、各弾発部１４は、上記差し込みにより、それらの弾発爪１４Ａの突出する台形の傾斜面が、水栓本体２の背面側の上縁に当てられることで、水栓本体２の天板面上に突き当たることなく背面側に弾性変形しながら押し込まれていくようになっている。
【００３９】
上記組み付けにより、各弾発部１４は、上記水栓本体２を水栓用カバー１０の正面被覆部１２との間に前後方向に挟み込む弾発力を作用させる形にセットされる。それにより、水栓用カバー１０が、水栓本体２に対して前後にガタ付いたり傾動したりしない形に弾性的に嵌合された状態として保持される。
【００４０】
上記正面被覆部１２には、図３及び図７に示すように、その背面上の左右方向の複数の箇所に、上下方向に筋状に延びる形に突出するリブ１２Ａが一体成形されている。各リブ１２Ａは、図９に示すように、各弾発部１４が水栓本体２の背面に押し付けられる形にセットされるのに伴い、水栓本体２の正面に当てられる形にセットされる。上記セットにより、水栓用カバー１０が、各リブ１２Ａを介して、正面被覆部１２と各弾発部１４との間に水栓本体２を前後方向に弾性的に押し挟んだ状態に組み付けられる。
【００４１】
上記各リブ１２Ａは、詳しくは、正面被覆部１２の下側の縁部から天板被覆部１１の底面上の位置まで、漸次、突出長さを増大させていく形で、水栓本体２の正面及び天板面の湾曲した外周面形状に沿う湾曲形状を成すように突出した形に形成されている。それにより、各リブ１２Ａは、図９に示すように水栓用カバー１０が水栓本体２に組み付けられることにより、水栓本体２の正面及び天板面の外周面上に当接して、正面被覆部１２及び天板被覆部１１を水栓本体２の表面上から浮かせた状態にセットさせるようになっている。また、上記各リブ１２Ａの形成により、水栓用カバー１０の正面被覆部１２及び天板被覆部１１の曲げや捩りに対する剛性及び構造強度が適切に高められている。
【００４２】
また、図３及び図７に示すように、上記正面被覆部１２の左右両縁側の背面箇所には、後側に向かって略台形状に突出する爪部１２Ｂが一体成形されている。これら爪部１２Ｂは、図１０に示すように、水栓用カバー１０が水栓本体２に上方から組み付けられることにより、水栓本体２の対応する左右両縁側の正面箇所に形成された各凹部２Ｃ内に入り込む形にセットされるようになっている。すなわち、各爪部１２Ｂは、図９で前述した水栓用カバー１０の各弾発部１４が水栓本体２の背面に弾発力を伴ってセットされる作用によって、図１０に示す各凹部２Ｃ内に水栓正面側（前側）から押し込まれるようになっている。
【００４３】
上記押し込みにより、各爪部１２Ｂが各凹部２Ｃ内に引掛かって、水栓用カバー１０が水栓本体２から上方に抜けにくくなるように係止されるようになっている。詳しくは、各爪部１２Ｂが水栓本体２の正面に形成された各凹部２Ｃ内に水栓正面側（前側）から入り込む係止構造とされることにより、水栓用カバー１０は、次のように、使いやすさと着脱しやすさとの両立が図られている。すなわち、水栓用カバー１０を水栓本体２から取り外す時には、使用者が水栓用カバー１０の後側部分を引き上げるように操作すればよい。それにより、各凹部２Ｃに係止された各爪部１２Ｂを支点に、図８で前述した各弾性嵌合部１３が給湯管３及び給水管４からそれぞれ上方に引き抜かれて、水栓用カバー１０を水栓本体２から容易に取り外すことができる。
【００４４】
一方、図１０に示すように、水栓用カバー１０を水栓本体２に装着して使用している時には、使用者が誤って水栓用カバー１０の正面被覆部１２に下方から手を当てるなどして上方への剥離荷重を掛けてしまっても、上記各爪部１２Ｂと各凹部２Ｃとの引掛りによって、水栓用カバー１０が水栓本体２から上方に外れることを防止することができる。
【００４５】
以上をまとめると、第１の実施形態に係る水栓用カバー１０は次のような構成となっている。すなわち、水栓用カバー（１０）は、混合水栓（１）の水栓本体（２）を上方から覆う天板被覆部（１１）と、水栓本体（２）を水栓正面側から覆う正面被覆部（１２）と、天板被覆部（１１）の底面上に設けられ、水栓本体（２）の背面から延びる左右一対の供給管（３，４）にそれぞれ上方から上下左右に挟み込む形にスナップフィット嵌合される左右一対の弾性嵌合部（１３）と、天板被覆部（１１）の底面上に設けられ、水栓本体（２）の背面上に上方から差し込まれて正面被覆部（１２）との間に水栓本体（２）を挟み込む前後方向の弾発力を作用させる弾発部（１４）と、を一体的に有する樹脂成形品から成る。
【００４６】
上記構成によれば、水栓用カバー（１０）に一体成形した左右一対の弾性嵌合部（１３）と弾発部（１４）とによって、水栓用カバー（１０）を水栓本体（２）に簡便かつガタ付かせにくい形に取り付けることができる。このような取付構造を、天板被覆部（１１）と正面被覆部（１２）とを有するカバー形状とされる水栓用カバー（１０）に左右一対の弾性嵌合部（１３）と弾発部（１４）とを一体成形した樹脂成形品によって合理的に得ることができる。
【００４７】
また、水栓用カバー（１０）が、更に、天板被覆部（１１）の底面上に設けられ、左右一対の供給管（３，４）の間で水栓本体（２）の背面から延びる吐出管（７）に上方から当てられる当て部（１５）を一体的に有する樹脂成形品から成る。上記構成によれば、水栓用カバー（１０）を水栓本体（２）に対してより前後に傾動させにくい形に取り付けることができる。
【００４８】
また、水栓用カバー（１０）が、更に、正面被覆部（１２）の背面上に設けられ、水栓本体（２）に形成された凹部（２Ｃ）内に水栓正面側から入り込む爪部（１２Ｂ）を一体的に有する樹脂成形品から成る。上記構成によれば、水栓用カバー（１０）を水栓本体（２）に対してより前後に傾動させにくく、かつ、水栓正面側から上方向きの荷重を受けても外されにくい形に取り付けることができる。
【００４９】
また、水栓用カバー（１０）が、更に、正面被覆部（１２）の背面に形成され、水栓本体（２）の一般面に対する水栓正面側からの当たり部となる突出形状のリブ（１２Ａ）を一体的に有する樹脂成形品から成る。上記構成によれば、正面被覆部（１２）を水栓本体（２）から水栓正面側に浮かした位置に設けることができると共に、正面被覆部（１２）の構造強度を適切に高めることができる。
【００５０】
《第２の実施形態》
続いて、本発明の第２の実施形態に係る水栓用カバー１０'の構成について、図１１〜図１３を用いて説明する。本実施形態に係る水栓用カバー１０'は、図１１に示すように、その水栓本体２に対する着脱構造が、天板被覆部１１の底面と水栓本体２の天板面とに分かれて設けられた雄雌の面ファスナ１６，２Ｄの組み合わせにより構成されている。上記天板被覆部１１の底面上に設けられた面ファスナ１６は、各リブ１２Ａの形成領域から外れた平坦面上の部位に面接着されて設けられている。上記面ファスナ１６は、上記天板被覆部１１の底面上における左右方向の略全域に亘って帯状に延びる形に設けられている。
【００５１】
水栓本体２の天板面上に設けられた面ファスナ２Ｄは、同天板面上における後側の縁部に沿った後縁部位に面接着されて設けられている。上記面ファスナ２Ｄも、上記水栓本体２の天板面上における左右方向の略全域に亘って帯状に延びる形に設けられている。
【００５２】
上記水栓用カバー１０'は、その天板被覆部１１を水栓本体２の天板面上に覆い被せる形に上方から組み付けることにより、各々の面ファスナ１６，２Ｄ同士が結合されて水栓本体２の上部に取り付けられる（図１２参照）。その際、水栓用カバー１０'は、図１３に示すように、その正面被覆部１２の左右両縁側の背面箇所に形成された各爪部１２Ｂを、水栓本体２の対応する左右両縁側の正面箇所に形成された各凹部２Ｃ内に入り込ませた上で各面ファスナ１６，２Ｄ同士を結合させることにより、水栓本体２に対して前後にガタ付いたり傾動したりしにくい形に組み付けられる。
【００５３】
上記構成により、水栓用カバー１０'を水栓本体２に装着して使用する時には、使用者が誤って水栓用カバー１０'の正面被覆部１２に下方から手を当てるなどして上方への剥離荷重を掛けてしまっても、上記各爪部１２Ｂと各凹部２Ｃとの引掛りによって、水栓用カバー１０'が水栓本体２から上方に外れることを防止することができる。また、水栓用カバー１０'を水栓本体２から取り外す時には、使用者が水栓用カバー１０'の後側部分を引き上げるように操作すればよい。それにより、各凹部２Ｃに係止された各爪部１２Ｂを支点に、面ファスナ１６，２Ｄ同士の結合が剥がされて、水栓用カバー１０'を水栓本体２から容易に取り外すことができる。
【００５４】
なお、上記以外の構成については、第１の実施形態で示した水栓用カバー１０と実質的に同一の構成となっているため、同一の符号を付して説明を省略することする。
【００５５】
以上をまとめると、第２の実施形態に係る水栓用カバー１０'は次のような構成となっている。すなわち、水栓用カバー（１０'）は、混合水栓（１）の水栓本体（２）を上方から覆う天板被覆部（１１）と、水栓本体（２）を水栓正面側から覆う正面被覆部（１２）と、天板被覆部（１１）の底面と水栓本体（２）の天板面との間に設けられた面状の着脱手段となる面ファスナ（１６，２Ｄ）と、を有する。
【００５６】
上記構成によれば、水栓用カバー（１０'）と水栓本体（２）との間に設けられる面ファスナ（１６，２Ｄ）によって、水栓用カバー（１０'）を水栓本体（２）に簡便かつガタ付かせにくい形に取り付けることができる。このような取付構造を、天板被覆部（１１）と正面被覆部（１２）とを有するカバー形状とされる水栓用カバー（１０'）と水栓本体（２）との間に面ファスナ（１６，２Ｄ）を設けるだけの簡単な構成によって合理的に得ることができる。
【００５７】
また、水栓用カバー（１０'）が、更に、正面被覆部（１２）の背面上に設けられ、水栓本体（２）に形成された凹部（２Ｃ）内に水栓正面側から入り込む爪部（１２Ｂ）を有する。上記構成によれば、水栓用カバー（１０'）を水栓本体（２）に対してより前後に傾動させにくく、かつ、水栓正面側から上方向きの荷重を受けても外されにくい形に取り付けることができる。
【００５８】
《その他の実施形態について》
以上、本発明の実施形態を２つの実施形態を用いて説明したが、本発明は上記実施形態のほか、以下に示す様々な形態で実施することができるものである。
【００５９】
１．本発明の水栓用カバーは、キッチン等の浴室以外の設備の壁面に取り付けられるタイプの混合水栓にも適用可能である。
【００６０】
２．天板被覆部の底面上に設けられる左右一対の弾性嵌合部は、水栓本体の背面から延びる左右一対の供給管の両外側のみ、或いは両内側からのみスナップフィット嵌合して、互いによって左右方向のガタを抑える嵌合態様をとる構成であってもよい。また、水栓本体の背面に弾発力を作用させる弾発部は、必ずしも左右一対の構成でなくても良く、左右方向の中央１箇所や左右方向の３箇所以上に設けられる構成であっても良い。
【００６１】
３．爪部も、必ずしも左右一対の構成でなくても良く、左右方向の中央１箇所や左右方向の３箇所以上に設けられる構成であっても良い。また、爪部は、水栓用カバーの正面被覆部に金属部品等の別部品を一体に取り付けて設けるものであっても良い。
【００６２】
４．左右一対の弾性嵌合部がスナップフィット嵌合する左右一対の供給管は、水栓本体の背面から延び出る給湯管と給水管とから成るものであっても良いが、これらに流路接続される湯側継手管と水側継手管とから成るものであっても良い。同様に、当て部が上方から当てられる吐出管も、水栓本体の背面から延び出るシャワー吐出管から成るものであっても良いが、これに流路接続されるシャワーエルボから成るものであっても良い。
【符号の説明】
【００６３】
１      混合水栓
２      水栓本体
２Ａ    温調ハンドル
２Ｂ    切替ハンドル
２Ｃ    凹部
２Ｄ    面ファスナ
３      給湯管（供給管）
３Ａ    袋ナット
４      給水管（供給管）
４Ａ    袋ナット
５      カラン吐出管
６      カラン
７      シャワー吐出管（吐出管）
８      シャワーエルボ
９Ａ    湯側継手管
９Ｂ    水側継手管
１０    水栓用カバー
１０'  水栓用カバー
１１    天板被覆部
１１Ａ  縁
１２    正面被覆部
１２Ａ  リブ
１２Ｂ  爪部
１３    弾性嵌合部
１４    弾発部
１４Ａ  弾発爪
１５    当て部
１６    面ファスナ
Ｗ      壁面
【図１】
2020147948.tif 000003
【図２】
2020147948.tif 000004
【図３】
2020147948.tif 000005
【図４】
2020147948.tif 000006
【図５】
2020147948.tif 000007
【図６】
2020147948.tif 000008
【図７】
2020147948.tif 000009
【図８】
2020147948.tif 000010
【図９】
2020147948.tif 000011
【図１０】
2020147948.tif 000012
【図１１】
2020147948.tif 000013
【図１２】
2020147948.tif 000014
【図１３】
2020147948.tif 000015